(57)【特許請求の範囲】
【請求項１】
負荷開閉器の開閉主軸に基部が回転自在に支持され，回転により操作ばねを蓄勢するフックレバーと、
前記操作ばねを蓄勢した前記フックレバーの先端部が係止し，回転により前記係止を解除して前記操作ばねを放勢するフックと、
前記フックレバーに突設された駆動ピンと、
前記主軸に回転自在に支持され，突部，当接部及び細長切欠部が形成された駆動レバーと、
両端が前記フックレバーと前記駆動レバーとに係止し，前記突部を前記駆動ピンに当接する方向に付勢した駆動ばねと、
上部と下部にそれぞれ前記操作ばねの放勢表示と蓄勢表示が表示され，長孔に前記主軸が挿通された上下動自在のばね状態表示板と、
回転自在に支持された係止レバーと、
前記係止レバーの先端部と前記表示板の下端部とを連結し，前記操作ばねの放勢状態において前記当接部に当接し，蓄勢状態において前記切欠部に位置した連結ピンと、
前記係止レバーに連結され，前記係止レバー及び前記連結ピンを介して前記表示板を上方に付勢した引張ばねと
を備え、
前記操作ばねの放勢による前記フックレバーの回転により、前記駆動ピンを介して前記係止レバーが回転し、前記放勢の終期において前記連結ピンが前記切欠部から抜け出し、前記表示板が下方に移動し、前記放勢表示が表示位置に位置し、前記駆動ばねにより前記駆動レバーが回転し、前記駆動レバーの当接部に前記連結ピンが当接し、前記表示板の下動位置が維持され、
前記操作ばねの蓄勢される時の前記フックレバーの回転により、前記駆動ピンを介して前記駆動レバーが回転し、前記蓄勢の終期において前記引張ばねにより前記連結ピンが前記切欠部に嵌入し、前記表示板が上方に移動し、前記蓄勢表示が前記表示位置に位置し、前記表示板の上動位置が維持される
ことを特徴とする負荷開閉器の状態表示装置。
【発明の詳細な説明】
【０００１】
【発明の属する技術分野】
本発明は、ばね蓄勢形の操作器を備えた屋内用の負荷開閉器の状態表示装置に関する。
【０００２】
【従来の技術】
従来のこの種状態表示装置は、負荷開閉器の開閉主軸にフックレバーが回転自在に支持され、このフックレバーの先端部に操作ばねが連結され、遮断用フックにフックレバーの先端部が係脱自在に係止し、フックレバーに、放勢表示と蓄勢表示が表示されたばね状態表示板が直接装着され、主軸に主軸レバーが固着され、フックレバーと主軸レバーがリンクにより連結され、このリンクに駆動ばねが連結され、投入用フックに主軸レバーの先端部が係脱自在に係止している。
【０００３】
そして、投入準備状態では、フックレバーの先端部が遮断用フックに係止し、主軸レバーの先端部が投入用フックに係止し、操作ばね及び駆動ばねが圧縮されて蓄勢され、フックレバーが操作ばね及び駆動ばねにより遮断方向に付勢され、主軸レバーが駆動ばねにより投入方向に付勢され、表示位置に表示板の蓄勢表示が位置している。
【０００４】
つぎに投入指令を受けると、投入用フックが回転し、主軸レバーの係止が解除され、駆動ばねの放勢により主軸レバーが回転し、主軸が投入方向に回転し、負荷開閉器が投入状態になる。
【０００５】
つぎに遮断指令を受けると、遮断用フックが回転し、フックレバーの係止が解除され、フックレバーが遮断用フックから離脱し、操作ばね及び駆動ばねの放勢によりフックレバーが遮断方向に回転し、フックレバーの回転により、リンクを介して主軸レバー，主軸が遮断方向に回転し、主軸レバーが投入用フックに係止し、負荷開閉器が遮断状態になり、表示位置に表示板の放勢表示が位置する。
【０００６】
そして、カムを回転させると、カムの回転により徐々にフックレバーが遮断方向とは逆方向に回転し、操作ばね及び駆動ばねが圧縮されて蓄勢され、フックレバーが遮断用フックに係止し、主軸レバーが投入方向に、フックレバーが遮断方向に付勢され、投入準備状態になる。
【０００７】
この場合、表示位置に、表示板の蓄勢表示がフックレバーの回転とともに徐々に表示される。
【０００８】
【発明が解決しようとする課題】
従来の前記装置において、遮断状態から投入準備状態にする際、表示位置に、表示板の蓄勢表示がフックレバーの回転とともに徐々に表示されるため、ばね蓄勢操作を途中で停止した場合、現在の状態、即ちばねの蓄勢状態が完了状態であるか否か不明になるという問題点がある。
【０００９】
しかも、誤操作を行った場合、即ちばね蓄勢操作途中で投入操作を行った場合、不完全投入になり、主回路の動作が正常でなくなるという問題点がある。
【００１０】
本発明は、前記の点に留意し、ばね蓄勢完了状態で、表示位置に表示板の蓄勢表示を表示し、ばね蓄勢操作途中の不完全投入を防止する負荷開閉器の状態表示装置を提供することを目的とする。
【００１１】
【課題を解決するための手段】
前記課題を解決するために、本発明の負荷開閉器の状態表示装置は、負荷開閉器の開閉主軸に基部が回転自在に支持され，回転により操作ばねを蓄勢するフックレバーと、前記操作ばねを蓄勢した前記フックレバーの先端部が係止し，回転により前記係止を解除して前記操作ばねを放勢するフックと、前記フックレバーに突設された駆動ピンと、前記主軸に回転自在に支持され，突部，当接部及び細長切欠部が形成された駆動レバーと、両端が前記フックレバーと前記駆動レバーとに係止し，前記駆動レバーの前記突部を前記駆動ピンに当接する方向に付勢した駆動ばねと、
上部と下部にそれぞれ前記操作ばねの放勢表示と蓄勢表示が表示され，長孔に前記主軸が挿通された上下動自在のばね状態表示板と、回転自在に支持された係止レバーと、前記係止レバーの先端部と前記表示板の下端部とを連結し，前記操作ばねの放勢状態において前記当接部に当接し，蓄勢状態において前記切欠部に位置した連結ピンと、前記係止レバーに連結され，前記係止レバー及び前記連結ピンを介して前記表示板を上方に付勢した引張ばねとを備えたものである。
【００１２】
従って、操作ばねの放勢によるフックレバーの回転により、駆動ピンを介して係止レバーが回転し、放勢の終期において連結ピンが切欠部から抜け出し、表示板が下方に移動し、放勢表示が表示位置に位置し、駆動ばねにより駆動レバーが回転し、駆動レバーの当接部に連結ピンが当接し、表示板の下動位置が維持される。
【００１３】
つぎに、操作ばねの蓄勢される時のフックレバーの回転により、駆動ピンを介して駆動レバーが回転し、蓄勢の終期において引張ばねにより連結ピンが切欠部に嵌入し、表示板が上方に移動し、蓄勢表示が表示位置に位置し、表示板の上動位置が維持され、ばね蓄勢操作途中の不完全投入が防止される。
【００１４】
【発明の実施の形態】
実施の１形態につき、図１ないし図３を参照して説明する。それらの図において、１は負荷開閉器の開閉主軸、２は下端部の基部が主軸１に回転自在に支持されたフックレバーであり、先端部に操作ばね３が連結され、フックレバー２の回転により蓄勢される。４は遮断用フックであり、半月状の切欠部５を有し、時計方向に付勢され、フック４に操作ばね３を蓄勢したフックレバー２の先端部の係止部６が係止し、フック４の回転により係止部６との係止を解除して操作ばね３を放勢する。７はストッパであり、ストッパ７に、操作ばね３により付勢されたフックレバー２の当接部８が当接する。９はフックレバー２の下部に突設された駆動ピンである。
【００１５】
１０は要が主軸１に回転自在に支持されたほぼ逆扇形の駆動レバーであり、一端部に突部１１が形成され、他端部に当接部１２と、その外側に細長切欠部１３が形成され、突部１１と当接部１２との間に円弧状の移動面１４が形成されている。１５は主軸１に巻回された駆動ばねであり、両端がフックレバー２と駆動レバー１０とに係止し、駆動レバー１０の突部１１を駆動ピン９に当接する方向に付勢している。
【００１６】
１６はばね状態表示板であり、基部１７と、基部１７の上縁から２度の折曲による折曲部１８を介して浮き上って延設された表示部１９とからなり、基部１７に長孔２０が形成され、表示部１９の上部と下部にそれぞれ操作ばね３の放勢表示２１と蓄勢表示２２が表示され、長孔２０に主軸１が挿通され、主軸１に対し表示板１６が上下動自在に設けられている。
【００１７】
２３は基部が支軸２４に回転自在に支持された係止レバーであり、上縁に当接部２５が形成されている。２６は連結ピンであり、連結ピン２６により表示板１６の下端部と係止レバー２３の先端部とが連結され、操作ばね３の放勢状態において、図１に示すように、連結ピン２６が駆動レバー１０の当接部１２に当接し、蓄勢状態において、図２に示すように、連結ピン２６が駆動レバー１０の切欠部１３に位置する。２７は係止レバー２３に連結された引張ばねであり、係止レバー２３及び連結ピン２６を介して表示板１６を上方に付勢している。
【００１８】
そして、従来例と同様、主軸１に主軸レバーが固着され、フックレバー２と主軸レバーがリンクにより連結され、このリンクに駆動ばねが連結され、投入用フックに主軸レバーが係脱自在に係止し、カムによりフックレバー２，リンクを介して操作ばね３及び駆動ばねが蓄勢される。
【００１９】
つぎに動作について説明する。図１は操作ばね３が放勢された状態を示し、フックレバー２の当接部８がストッパ７に当接し、駆動ピン９が係止レバー２３の当接部２５を押圧し、引張ばね２７が引っ張られて蓄勢され、駆動レバー１０の突部１１が駆動ピン９に当接し、連結ピン２６が駆動レバー１０の当接部１２に当接し、表示板１６の長孔２０の上端が主軸１に当接し、表示板１６が下方に位置し、鎖線に示す表示位置２８に表示板１６の放勢表示２１が位置している。
【００２０】
そして、主軸レバーが投入用フックに係止し、負荷開閉器が遮断状態になっている。
【００２１】
つぎに、図１の放勢状態から操作ばね３及び駆動ばねを蓄勢する場合、カムの回転によりフックレバー２が時計方向に回転し、フックレバー２の回転により、駆動ピン９，駆動レバー１０の突部１１を介して駆動レバー１０が時計方向に回転する。
【００２２】
そして、フックレバー２の先端部が遮断用フック４の切欠部５を通過したのち、遮断用フック４が時計方向に回転し、図２に示すように、フックレバー２の係止部６が遮断用フック４に係止し、操作ばね３及び駆動ばねが蓄勢され、駆動ばねにより主軸レバーが時計方向に付勢され、操作ばね３及び駆動ばねによりフックレバー２が反時計方向に付勢され、投入準備状態になる。
【００２３】
一方、このばね蓄勢の終期において、駆動レバー１０の回転により駆動レバー１０の切欠部１３が連結ピン２６の位置まで移動し、引張ばね２７により連結ピン２６が切欠部１３に嵌入し、係止レバー２３が反時計方向に回転し、表示板１６が上方に移動し、表示板１６の蓄勢表示２２が表示位置２８に位置し、表示板１６の長孔２０の下端が主軸１に当接し、表示板１６の上動位置が維持される。
【００２４】
そして、投入指令を受けると、投入用フックが回転し、駆動ばねの放勢により主軸レバーを介して主軸が時計方向に回転し、負荷開閉器が投入状態になる。
【００２５】
つぎに、遮断指令を受けると、遮断用フック４が反時計方向に回転し、操作ばね３及び駆動ばねの放勢により、フックレバー２の先端部が切欠部５を通過して反時計方向に回転し、フックレバー２の回転により駆動ピン９が係止レバー２３の当接部２５に当接し、係止レバー２３が時計方向に回転し、連結ピン２６が駆動レバー１０の切欠部１３内を移動し、表示板１６が下方に移動するとともに、引張ばね２７が引っ張られる。
【００２６】
一方、連結ピン２６が切欠部１３内を移動する間、駆動レバー１０の位置がほぼ固定され、フックレバー２の回転により駆動ピン９が駆動レバー１０の突部１１から離脱して移動面１４を移動し、駆動ばね１５を蓄勢する。
【００２７】
そして、図１に示すように、フックレバー２の当接部８がストッパ７に当接すると、操作ばね３及び駆動ばねが放勢され、リンクを介して主軸レバー，主軸１が反時計方向に回転し、負荷開閉器が遮断状態になる。
【００２８】
一方、このばね放勢の終期において、係止レバー２３の回転により、連結ピン２６が駆動レバー１０の切欠部１３から抜け出し、表示板１６が上方に移動し、表示板１６の放勢表示２１が表示位置２８に位置し、駆動ばね１５の放勢により駆動レバー１０が反時計方向に回転し、駆動レバー１０の突部１１が駆動ピン９に当接し、駆動レバー１０の当接部１２に連結ピン２６が当接し、表示板１６の長孔２０の上端が主軸１に当接し、引張ばね２７が蓄勢され、表示板１６の下動位置が維持される。
【００２９】
【発明の効果】
本発明は、以上説明したように構成されているため、つぎに記載する効果を奏する。
本発明の負荷開閉器の状態表示装置は、操作ばね３の蓄勢時のフックレバー２の回転により、駆動ピン９を介して駆動レバー１０が回転し、蓄勢の終期において、引張ばね２７により連結ピン２６が駆動レバー１０の切欠部１３に嵌入し、ばね状態表示板１６が上方に移動し、表示板１６の蓄勢表示２２が表示位置２８に位置するため、ばね蓄勢完了状態で、表示位置２８に、表示板１６の蓄勢表示２２を表示することができ、ばね蓄勢操作途中の不完全投入を防止することができる。
【図面の簡単な説明】
【図１】本発明の実施の１形態の操作ばねの放勢状態の正面図である。
【図２】図１の操作ばねの蓄勢状態の正面図である。
【図３】Ａ，Ｂ，Ｃ，Ｄはそれぞれ図１のフックレバー，駆動レバー，ばね状態表示板及び係止レバーの正面図である。
【符号の説明】
１  開閉主軸
２  フックレバー
３  操作ばね
４  フック
９  駆動ピン
１０  駆動レバー
１１  突部
１２  当接部
１３  細長切欠部
１５  駆動ばね
１６  ばね状態表示板
２０  長孔
２１  放勢表示
２２  蓄勢表示
２３  係止レバー
２６  連結ピン
２７  引張ばね
２８  表示位置
【図１】
0003738551.tif 000002
【図２】
0003738551.tif 000003
【図３】
0003738551.tif 000004